(57)【要約】【課題】  電動昇降機構を備えた伸縮可能な脚体の上端に支持フレームを取付け、該支持フレームの上面に天板を載置した状態で取付ける構造の電動昇降天板付き家具において、電動昇降機構を制御するコード類の配線作業及び制御ユニットの組み付け作業を楽な姿勢で行うことができ、しかもコード類が露出することがなく、また爾後の点検や配線のやり直しも容易に行うことができる電動昇降天板付き家具の配線装置を提供する。【解決手段】  支持フレーム２を構成する少なくとも一部の杆体は、コード類Ｃの収容空間７を内部に設けた上方開放したチャンネル状の配線杆体４，５，６であり、電動昇降機構を制御するコード類を配線杆体内に配線する。配線杆体は、支持フレームに天板３を取付けた状態で天板下面との間に収容空間と連通する挿通溝を形成するように側面部の高さが設定されている。【選択図】        図２
2018027206.tif 000002
【特許請求の範囲】
【請求項１】
電動昇降機構を備えた伸縮可能な脚体の上端に支持フレームを取付け、該支持フレームの上面に天板を載置した状態で取付ける構造の電動昇降天板付き家具において、前記支持フレームを構成する少なくとも一部の杆体は、コード類の収容空間を内部に設けた上方開放したチャンネル状の配線杆体であり、前記電動昇降機構を制御するコード類を該配線杆体内に配線することを特徴とする電動昇降天板付き家具の配線装置。
【請求項２】
前記天板の左右両端部で奥行方向の中央部に前記脚体を配置し、前記支持フレームは、左右両側部に奥行方向に、上面が天板取付面となっている主杆体を配置するとともに、両主杆体間に一種類又は複数種類の前記配線杆体を配置してなる請求項１記載の電動昇降天板付き家具の配線装置。
【請求項３】
前記支持フレームは、複数種類の前記配線杆体を有し、各配線杆体は、断面略コ字形のチャンネル状本体部の上縁に、前記収容空間に向けて折曲した補強板若しくは折曲板を有し、各配線杆体を各々の収容空間が連通するように分岐連結した交差部において、前記補強板若しくは折曲板の角部は丸く面取り加工されたＲ部となっている請求項２記載の電動昇降天板付き家具の配線装置。
【請求項４】
前記配線杆体の交差部において、各配線杆体の切断端面を、他の配線杆体の端部に設けた折曲片で隠し、あるいはハゼ折りした折曲片で抱き込んで隠し、切断端面に直接コード類が触れないようにしてなる請求項３記載の電動昇降天板付き家具の配線装置。
【請求項５】
前記支持フレームには、両主杆体の内側で奥行方向中央部に前記電動昇降機構の駆動モータを収容するモータ格納部を設け、両主杆体間に第１配線杆体を連結し、該第１配線杆体に第２配線杆体を分岐連結するとともに、該第２配線杆体の断面略コ字形のチャンネル状本体部の側面にコード類を引き出す開口を設けてなる請求項２〜４何れか１項に記載の電動昇降天板付き家具の配線装置。
【発明の詳細な説明】
【技術分野】
【０００１】
本発明は、電動昇降天板付き家具の配線装置に係わり、更に詳しくは天板を支持する脚体に備えた電動昇降機構を制御するコード類を天板下面側に配線するための電動昇降天板付き家具の配線装置に関するものである。
【背景技術】
【０００２】
従来から、両側に配した脚体を固定脚の内部に可動脚の下部を上下動可能に支持した構造とし、これら固定脚と可動脚との間に駆動機構を設けて該可動脚を昇降可能とし、該可動脚の上端に取付けた天板の高さを調節可能とした昇降天板付きデスク装置は各種提供されている。
【０００３】
例えば、特許文献１には、両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた天板の高さを調節可能とするとともに、両脚体の固定脚の後端面で上端部間に幕板を取付け、前記天板の後縁と幕板の上端部間に配線ダクトが形成された昇降天板付きデスク装置が開示されている。
【０００４】
また、特許文献２には、送りねじ機構と、該送りねじ機構を作動させるための電動モータと、該電動モータの駆動力を伝達する伝達手段とを備えた電動昇降機構が開示されている。前記送りねじ機構は、上下方向に向いた外筒部の内側に設けた雌ねじ部材と、該雌ねじ部材に螺合し、その回転によって昇降自在な長尺な雄ねじ部材と、前記外筒部の先端から突出した状態で前記雄ねじ部材の先端に設けられた傘歯車とを備えた構造で、脚体に内蔵されている。そして、天板の下面側に設けた前記電動モータの駆動力をシャフトと傘歯車を介して雄ねじ部材に伝達し、そして前記電動モータの駆動及び駆動停止を切り換えるためのスイッチを天板の側部に設けた機構である。しかし、前記電動モータを制御するための配線については言及されてない。
【０００５】
また、特許文献３には、左右一対の脚体の上端に奥行方向に向いた上部支持体を固定し、上部支持体同士を連結部材で連結するとともに、上部支持体と連結部材の上面に天板を載置して取付け、更に脚体に内蔵した電動昇降機構とその制御ユニット及び操作スイッチを備えた天板昇降式デスクが開示されている。更に、前記連結部材は、一対の連結片を有して構成され、前後の連結片間に形成されて下方に開口する空間部には制御ユニットが配設され、連結片にはカバー部材が取り付けられ、カバー部材には配線を載置する配線載置部が設けられ、空間部には制御ユニットと昇降機構ユニットとを接続するユニット間配線ケーブルが通線されている点が開示されている。
【０００６】
しかし、特許文献３に記載の配線構造は、前記連結部材に設けた下方開放の空間部を利用しての制御ユニットの組み付け、配線作業であるため、通常はデスクを天地反転させた状態で行うことになるが、反転工程が増える煩わしさもさることながら、床面に這わせた状態の連結部材の空間部内における低い位置での作業であるから、屈んだ窮屈な姿勢での作業となり、極めて作業性が悪いという問題がある。また、連結部材の連結片にカバー部材を取付けた状態では、空間部の開口部は塞がれるので、配線の点検ややり直しの度にカバー部材を外し、デスクを天地反転させるか、天板下方の空間に潜り込んでの作業が強いられる。
【先行技術文献】
【特許文献】
【０００７】
【特許文献１】特開２００８−０７９７７３号公報
【特許文献２】特開２０００−０４１７４２号公報
【特許文献３】特開２０１６−０８６９１１号公報
【発明の概要】
【発明が解決しようとする課題】
【０００８】
そこで、本発明が前述の状況に鑑み、解決しようとするところは、電動昇降機構を備えた伸縮可能な脚体の上端に支持フレームを取付け、該支持フレームの上面に天板を載置した状態で取付ける構造の電動昇降天板付き家具において、電動昇降機構を制御するコード類の配線作業及び制御ユニットの組み付け作業を楽な姿勢で行うことができ、しかもコード類が露出することがなく、また爾後の点検や配線のやり直しも容易に行うことができる電動昇降天板付き家具の配線装置を提供する点にある。
【課題を解決するための手段】
【０００９】
本発明は、前述の課題解決のために、以下に構成する電動昇降天板付き家具の配線装置を提供する。
【００１０】
（１）
電動昇降機構を備えた伸縮可能な脚体の上端に支持フレームを取付け、該支持フレームの上面に天板を載置した状態で取付ける構造の電動昇降天板付き家具において、前記支持フレームを構成する少なくとも一部の杆体は、コード類の収容空間を内部に設けた上方開放したチャンネル状の配線杆体であり、前記電動昇降機構を制御するコード類を該配線杆体内に配線することを特徴とする電動昇降天板付き家具の配線装置。
【００１１】
（２）
前記天板の左右両端部で奥行方向の中央部に前記脚体を配置し、前記支持フレームは、左右両側部に奥行方向に、上面が天板取付面となっている主杆体を配置するとともに、両主杆体間に一種類又は複数種類の前記配線杆体を配置してなる（１）記載の電動昇降天板付き家具の配線装置。
【００１２】
（３）
前記支持フレームは、複数種類の前記配線杆体を有し、各配線杆体は、断面略コ字形のチャンネル状本体部の上縁に、前記収容空間に向けて折曲した補強板若しくは折曲板を有し、各配線杆体を各々の収容空間が連通するように分岐連結した交差部において、前記補強板若しくは折曲板の角部は丸く面取り加工されたＲ部となっている（２）記載の電動昇降天板付き家具の配線装置。
【００１３】
（４）
前記配線杆体の交差部において、各配線杆体の切断端面を、他の配線杆体の端部に設けた折曲片で隠し、あるいはハゼ折りした折曲片で抱き込んで隠し、切断端面に直接コード類が触れないようにしてなる（３）記載の電動昇降天板付き家具の配線装置。
【００１４】
（５）
前記支持フレームには、両主杆体の内側で奥行方向中央部に前記電動昇降機構の駆動モータを収容するモータ格納部を設け、両主杆体間に第１配線杆体を連結し、該第１配線杆体に第２配線杆体を分岐連結するとともに、該第２配線杆体の断面略コ字形のチャンネル状本体部の側面にコード類を引き出す開口を設けてなる（２）〜（４）何れか１に記載の電動昇降天板付き家具の配線装置。
【発明の効果】
【００１５】
以上にしてなる本発明の電動昇降天板付き家具の配線装置は、電動昇降機構を備えた伸縮可能な脚体の上端に支持フレームを取付け、該支持フレームの上面に天板を載置した状態で取付ける構造の電動昇降天板付き家具において、前記支持フレームを構成する少なくとも一部の杆体は、コード類の収容空間を内部に設けた上方開放したチャンネル状の配線杆体であり、前記電動昇降機構を制御するコード類を該配線杆体内に配線するので、天板を支持フレームに取付ける前に、脚体と支持フレームを通常の姿勢のまま、作業し易い高さに位置する配線杆体の上方開放した収容空間に、楽な作業姿勢で上方からコード類を配線することができる。
【００１６】
また（２）の構成によれば、支持フレームの主杆体を利用して天板を確実に支持することができ、その他の支持フレームを構成する配線杆体を利用してコード類を露出することなく配線することができる。
【００１７】
また（３）の構成によれば、補強板若しくは折曲板の存在により配線杆体の剛性が高くなり、天板の支持強度が向上するとともに、該配線杆体の収容空間に配線したコード類をはみ出し、浮き上がりを補強板若しくは折曲板で防止し、また補強板若しくは折曲板の角部は丸く面取り加工されたＲ部となっているので、コード類の損傷、断線を防止することができる。
【００１８】
また（４）の構成によれば、支持フレームの配線杆体の収容空間に配線したコード類が各配線杆体の切断端面に直接触れることがなく、コード類の損傷、断線を防止することができる。
【００１９】
また（５）の構成によれば、支持フレームの配線杆体の収容空間に配線したコード類を開口から引き出すことができ、例えば床面のコンセントに電源コードを接続し、制御ユニットや電動モータに電力を供給できる。
【図面の簡単な説明】
【００２０】
【図１】本発明に係る電動昇降天板付き家具を示す斜視図である。
【図２】同じく天板を外した状態の部分斜視図である。
【図３】脚体と支持フレームの上から見た斜視図である。
【図４】脚体と支持フレームの下から見た斜視図である。
【図５】脚体と支持フレームの平面図である。
【図６】図５のＸ−Ｘ線断面図である。
【図７】図６の部分拡大断面図である。
【図８】図５のＹ−Ｙ線断面図である。
【図９】図８の部分拡大断面図である。
【図１０】配線装置を構成した支持フレームの一側部の部分斜視図である。
【図１１】配線装置を構成した支持フレームの中央部の部分斜視図である。
【図１２】コード類を配線する手順を示した斜視図である。
【図１３】支持フレームに設けた配線装置の部分斜視図である。
【発明を実施するための形態】
【００２１】
次に、添付図面に示した実施形態に基づき、本発明を更に詳細に説明する。図１は本発明に係る昇降天板付きデスクを示し、図２〜図８はその詳細を示し、図中符号１は脚体、２は支持フレーム、３は天板、４は第１配線杆体、５は第２配線杆体、６は第３配線杆体、７は収容空間をそれぞれ示している。
【００２２】
本実施形態ではテーブルを用いて説明するが、本発明に係る電動昇降天板付き家具は、テーブルやデスクとして分類される家具は勿論、その他の天板を備えたカウンター、実験台等も含む広義の家具を対象としている。
【００２３】
本発明に係る電動昇降天板付き家具は、図１〜図４に示すように、電動昇降機構を備えた伸縮可能な脚体１，１の上端に支持フレーム２を取付け、該支持フレーム２の上面に天板３を載置した状態で取付ける構造であり、外観的には、前記天板３の左右両端部で奥行方向の中央部に前記脚体１，１を配置した形状である。そして、本発明の電動昇降天板付き家具の配線装置は、前記支持フレーム２を構成する少なくとも一部の杆体は、コード類Ｃの収容空間７を内部に設けた上方開放したチャンネル状の配線杆体４，５，６であり、前記電動昇降機構を制御するコード類Ｃを該配線杆体４，５，６内に配線するものである。
【００２４】
ここで、電動昇降機構を備えた伸縮可能な脚体１は、図示しないが、外側筒、中間筒、内側筒を同心状に伸縮可能に嵌挿するとともに、内部に駆動モータで駆動する送りネジ機構からなる電動昇降機構を内蔵した構造であり、前記外側筒の下端は前後方向を向いた接地脚８の中央部に固定状態で立設され、前記内側筒の上端部は前記支持フレーム２の側部に固定されている。また，左右に配置した前記脚体１，１の接地脚８，８間を連結杆９で連結して一体化し、強度の高い脚部を構成している。更に詳しくは、図２〜図４に示すように、前記脚体１の内側筒の上端部には駆動モータ１０と歯車減速機（図示せず）が一体的に内蔵されており、該駆動モータ１０は前記支持フレーム２の両側部に設けたモータ格納部１１に格納された状態で、前記内側筒の上端部が支持フレーム２に固定されている。
【００２５】
そして、前記天板３は前記脚体１の伸縮によって昇降するが、本実施形態では、最も上昇したときには前記天板３の上面の高さが１２５０ｍｍとなり、最も下降したときには前記天板３の上面の高さが６５０ｍｍとなる。しかし、前記脚体１の構造及び電動昇降機構の構造は、本発明では特に限定されない。
【００２６】
本発明では、前記駆動モータ１０を制御するための制御ユニット１２と操作スイッチ１３を備えている。前記制御ユニット１２は、前記支持フレーム２に内蔵され、また前記操作スイッチ１３は前記天板３の前後縁部の左右一側部に設けている。そして、前記脚体１，１と支持フレーム２を通常使用状態の姿勢のまま、前記天板３を支持フレーム２に取付ける前に、該支持フレーム２に制御ユニット１２を組み付けるとともに、該制御ユニット１２に、前記駆動モータ１０及び操作スイッチ１３を、前記支持フレーム２の前記収容空間７に配線した複数のコード類Ｃで接続するのである。
【００２７】
更に詳しくは、前記支持フレーム２は、図２〜１１に示すように、左右両側部に奥行方向に主杆体１４，１４を配置し、両主杆体１４，１４の内側で奥行方向中央部に前記モータ格納部１１，１１を設け、両主杆体１４，１４間で前記モータ格納部１１の奥行方向前後近傍に一対の前記第１配線杆体４，４を平行に連結し、両第１配線杆体４，４間で前記両モータ格納部１１，１１の近接位置にそれぞれ第２配線杆体５，５を連結するとともに、両第１配線杆体４，４間で両第２配線杆体５，５の中間位置に前記第３配線杆体６を連結し、各配線杆体４，５，６の全ての収容空間７が連通した構造としている。前記支持フレーム２は、両側の主杆体１４，１４間を第１配線杆体４，４、第２配線杆５，５体及び第３配線杆体６で構成した梯子状構造で連結したので、十分な天板支持強度を確保するとともに、各配線杆体の全ての収容空間７が連通しているので、コード類Ｃの配線の自由度が高く、またコード類Ｃの長い余剰部分も、連続した収容空間７で作るループ部に巻回して収容することができる。更に、前記天板３の奥行幅が広いタイプの場合、あるいは前記天板３の横方向長さが長いタイプの場合、該天版３の支持強度を高めるために、前記第１配線杆体４，４の外側位置に補強杆１５，１５を前記主杆体１４，１４間に連結する。
【００２８】
前記支持フレーム２には、前記電動昇降機構の駆動モータを収容するモータ格納部１１，１１を備えるとともに、適所に前記駆動モータ１０を制御する制御ユニット１２を装着している。前記支持フレーム２は、複数の杆体を組み合わせて構成し、前記収容空間７を有する前記配線杆体も前述のように複数種類から構成されている。しかし、本発明は配線杆体が、第１配線杆体４のみから構成される場合も含み、その場合には、第１配線杆体４が前記モータ格納部１１及び前記制御ユニット１２の近傍に配置され、前記第１配線杆体４の収容空間７に配線したコード類Ｃを、直接に前記駆動モータ１０及び前記制御ユニット１２に接続することができる。また、前述のように前記第１配線杆体４に分岐連結した第２配線杆体５を、前記モータ格納部１１に近接配置する場合には、前記第１配線杆体４と第２配線杆体５の各々の収容空間７，７が連通しているので、これら収容空間７を通してコード類Ｃを前記駆動モータ１０に接続することができる。これらの場合、前記制御ユニット１２は、前記第１配線杆体４と第２配線杆体５の何れかの収納空間７内に配置することも可能である。
【００２９】
また、本実施形態では、前記第１配線杆体４に各々の収容空間７，７が連通するように第３配線杆体６を分岐連結している。そして、前記第３配線杆体６の収容空間７に前記制御ユニット１２を配設している。それにより、前記第１配線杆体４、第２配線杆体５及び第３配線杆体６の収容空間７を通して、前記駆動モータ１０と前記制御ユニット１２をコード類Ｃで接続できるようになっている。ここで、前記第３配線杆体６は、天板３の中央部に位置し、左右の脚体１，１に対して等距離に設定してあり、共通の制御ユニット１２から左右の駆動モータ１０，１０に同じ態様で配線することができる。こうして、前記支持フレーム２を構成する第３配線杆体６の収容空間７内に制御ユニット１２を露出することなく配設することができ、駆動モータ１０との間を接続するコード類Ｃや電力を供給する電源ケーブルやスイッチに接続するケーブル等のコード類Ｃも全て支持フレーム２内に露出することなく配線することができる。尚、本実施形態では、前記制御ユニット１２を前記第３配線杆体６の収容空間７に配設したが、前記第１配線杆体４の収容空間７内又は該第１配線杆体４に近接して配置した収納ボックス内に格納しても良い。
【００３０】
図５〜図９において、前記主杆体１４の上面は天板取付面１６となっており、前記支持フレーム２に天板３を載置して取付けた場合には、該天板取付面１６に前記天板３の下面が当接する。前述のように、前記支持フレーム２の配線杆体４，５，６には、上方開放した収容空間７を有しているので、前記天板３を支持フレーム２に取付ける前の状態で、上方からの作業で前記制御ユニット１２を第１配線杆体６の収容空間７内に取付け、各種のコード類Ｃを収容空間７に落とし込んで配線することができる。
【００３１】
また、本発明では、前記支持フレーム２に天板３を載置して取付けた後に、点検や配線のやり直しができるようになっている。そのため、図６〜図９に示すように、前記第１配線杆体４と第２配線杆体５は、前記支持フレーム２に前記天板３を取付けた状態で該天板３下面との間に前記収容空間７と連通する挿通溝１７を形成するように側面部の高さが設定されている。前記挿通溝１７を通して第１配線杆体４及び第２配線杆体５の収容空間７に対して側方からコード類Ｃを出し入れすることができるようにしている。
【００３２】
具体的には、前記第１配線杆体４は、図５〜図１１に示すように、上方開放した断面略コ字形のチャンネル状本体部１８の内部がコード類の収容空間７となり、該本体部１８の一側縁に沿って外向きに前記天板３の下面に当接して取付けるための固定板１９を設け、他側縁に沿って内向きに前記固定板１９よりも低い位置に補強板２０を設けた形状である。前記第１配線杆体４は、板金で作製できて、剛性の高い断面構造であるので、支持フレーム２の主要部材となり、天板３を確実に支持することができるとともに、内部の収容空間７をコード類Ｃの配線に利用することができる。また、前記挿通溝１７からコード類Ｃを収容空間７に落とし込んで配線した際にも、収容空間７内に有する補強板２０でコード類Ｃを保持し、コード類Ｃのはみ出し、脱落を防止できる。また、前記第２配線杆体５は、図５、図８〜図１０に示すように、上方開放した断面略コ字形のチャンネル状本体部２１の両側壁の上縁を内向きに折曲板２２，２２を形成した形状であり、該折曲板２２，２２の位置は前記天板取付面１６より低い位置に設定している。つまり、前記第１配線杆体４の補強板２０と天板３下面の間の空間、及び前記第２配線杆体５の両折曲板２２，２２と天板３下面の間の空間が前記挿通溝１７となる。
【００３３】
ここで、図５に示すように、前記第１配線杆体４の固定板１９は外側（天板中心から離れた側）に位置し、補強板２０は内側（天板中心寄り側）に位置し、また前記第２配線杆体５の両折曲板２２，２２は左右両側に位置しているので、前記第１配線杆体４と第２配線杆体５と天板３との間に形成される挿通溝１７は全て連続した空間となっている。それにより、前記コード類Ｃは前記挿通溝１７を通して収容空間７に配線できるのである。つまり、前記支持フレーム２と天板３下面との間に形成される挿通溝１７を利用して、第１配線杆体４と第２配線杆体５の収容空間７に対してコード類Ｃを出し入れすることができ、点検や配線のやり直しを配線杆体の側方から容易に行うことができ、天板３の下方空間に潜り込んでの作業であっても、作業効率が良いので短時間で済ませることができる。
【００３４】
また、前記第３配線杆体６は、図５〜図７及び図１１に示すように、上方開放した断面略コ字形のチャンネル状本体部２３からなり、該本体部２３の底面２４の両端部で、前記制御ユニット１２の両端部に設けたコネクタ接続部に対応する位置に、点検用の開口２５を形成してあり、また両側壁２６，２６の上端高さは前記前記天板取付面１６より低い位置であるが、この場所にはコード類Ｃを配線する必要がなく、また制御ユニット１２の保護のためにも高く設定している。
【００３５】
ここで、本実施形態では、前記第１配線杆体４に対する前記第２配線杆体５と前記第３配線杆体６の分岐連結部（交差部）において、各配線杆体の切断端面に直接コード類Ｃが触れないように工夫している。図１０及び図１１に示すように、切断端面は他の部材の折曲片２７で覆われ、また角部は丸く面取り加工してＲ部２８を形成している。前記折曲片２７は、直角に折曲して他の部材の切断端面を隠し、あるいはハゼ折り（１８０度折り曲げ）して他の部材の切断端面を抱き込んで隠すとともに、二つの部材の連結の役目も果たしている。
【００３６】
また、前記主杆体１４は、下方開放した断面略Ｃ字形のチャンネル状部材であり、図６〜図９に示すように、前記第１配線杆体４の収容空間７に対応する側壁に前記操作スイッチ１３に接続するコード類Ｃを挿通するための孔２９を形成している。
【００３７】
更に、前記第２配線杆体５と前記第３配線杆体６の下方で天板３の奥行方向の中央部位置には、図２〜図６に示すように、配線用ダクト３０を設けている。前記配線用ダクト３０は、樋状の部材であり、吊り部材３１にて前記第２配線杆体５と前記第３配線杆体６に間隔を置いて下設されている。そして、前記天板３には、図１及び図２に示すように、奥行方向中央部で左右に離れた位置にダクト開口３２，３２を設け、該ダクト開口３２，３２には前後縁に隙間を設けてダクトカバー３３，３３をそれぞれ着脱可能又は開閉可能に設けている。本実施形態では、前記天板３の下面において、前記ダクト開口３２の左右両端部に受具３４，３４を取付け、該受具３４，３４に前記ダクトカバー３３を載支して、着脱可能な構造としている。
【００３８】
図２に示すように、前記支持フレーム２の上面に前記天板３を載置して下方からネジ止め固定するのであるが、前記天板３の位置決めのために、図６及び図８に示すように、前記モータ格納部１１を構成する上面板３５からボックス体の上端の一部に形成した突起３６，３６が貫通して突出させ、該突起３６，３６が天板３の下面に形成した凹部３７，３７に嵌合するようにしている。
【００３９】
最後に、図３、図１２及び図１３に基づいて、本発明の配線装置における配線作業手順を簡単に説明する。前記脚体１，１に前記支持フレーム２を取付け、前記天板３を前記支持フレーム２に取付ける前に、通常の使用姿勢の状態に置く。そして、先ず前記第３配線杆体６の収容空間７内に前記制御ユニット１２を取付ける。それから、左右の駆動モータ１０，１０と制御ユニット１２の両端部のコネクタ接続部に、それぞれ制御コードＣ１，Ｃ１を第１配線杆体４と第２配線杆体５の収容空間７に配線して接続する。そして、前記操作スイッチ１３に接続された操作コードＣ２を、前記主杆体１４の内部を通し、前記孔２９から引き出した後、前記同様にして第１配線杆体４と第２配線杆体５の収容空間７に配線して制御ユニット１２に接続する。最後に、電源コードＣ３を一方の第２配線杆体５の本体部２１の側面に形成した開口３８から収容空間７に引き込み、第１配線杆体４と第２配線杆体５の収容空間７に配線して制御ユニット１２に接続する。勿論、前記制御ユニット１２に接続する際には、前記第３配線杆体６の収容空間７も使用する。このように、前記支持フレーム２に備えたモータ格納部１１に収容された電動昇降機構の駆動モータ１０にコード類Ｃを接続する際に、コード類を露出させずに接続することができる。ここで、各コード類Ｃの余剰部分は、収容空間７を遠回りして配線することで、嵩張らずに整然と収容することができる。そして、前記操作スイッチ１３，１３を前記天板３の下面であって、前記主杆体１４の延長線上の位置に取付けるとともに、該主杆体１４の開口部に図示しないカバーを取付けて塞いでいる。
【００４０】
そして、電動昇降機構が正常に動作することを確認するために、前記操作スイッチ１３を操作して前記支持フレームを昇降させ、問題が無いことを確認後、該支持フレーム２を最も高い位置まで上昇させ、それから前記天板３を該支持フレーム２の上面に載置し、下方から前記主杆体１４，１４、第１配線杆体４，４の固定板１９，１９、補強杆１５，１５に設けた取付孔を通して天板３下面にネジ止めするのである。
【符号の説明】
【００４１】
１  脚体、            ２  支持フレーム、
３  天板、            ４  第１配線杆体、
５  第２配線杆体、    ６  第３配線杆体、
７  収容空間、        ８  接地脚、
９  連結杆、          １０  駆動モータ、
１１  モータ格納部、  １２  制御ユニット、
１３  操作スイッチ、  １４  主杆体、
１５  補強杆、        １６  天板取付面、
１７  挿通溝、        １８  本体部、
１９  固定板、        ２０  補強板、
２１  本体部、        ２２  折曲板、
２３  本体部、        ２４  底面、
２５  開口、          ２６  両側壁、
２７  折曲片、        ２８  Ｒ部、
２９  孔、            ３０  配線用ダクト、
３１  吊り部材、      ３２  ダクト開口、
３３  ダクトカバー、  ３４  受具、
３５  上面板、        ３６  突起、
３７  凹部、          ３８  開口、
Ｃ  コード類、
Ｃ１  制御コード、
Ｃ２  操作コード、
Ｃ３  電源コード、
【図１】
2018027206.tif 000003
【図２】
2018027206.tif 000004
【図３】
2018027206.tif 000005
【図４】
2018027206.tif 000006
【図５】
2018027206.tif 000007
【図６】
2018027206.tif 000008
【図７】
2018027206.tif 000009
【図８】
2018027206.tif 000010
【図９】
2018027206.tif 000011
【図１０】
2018027206.tif 000012
【図１１】
2018027206.tif 000013
【図１２】
2018027206.tif 000014
【図１３】
2018027206.tif 000015